(57)【要約】【課題】排ガスを環境に問題ない状態で外部に排出する排ガス浄化装置を提供する。【解決手段】排ガス浄化装置１００は排ガスを浄化するものであり、排ガスの通路である排ガス通路部１０と、排ガス浄化部２０と、冷却部３０と、水が充填された排ガスの通路である水充填排ガス通路部４０とを備える。排ガス浄化部２０を構成する排ガス浄化フィルター２１乃至２３は、排ガス通路部１０内を通る排ガスを浄化するものである。冷却部３０は、排ガス通路部１０内を冷却するものであり、例えば水通路部３１と、水供給部３２と、排水冷却部３３とを備える。水通路部３１は、排ガス通路部１０の周囲に巻かれた水の通路であり、排ガス通路部１０を冷却する。水供給部３２は、水通路部３１に水を供給するものである。排水冷却部３３は、水通路部３１の出口３１ａから排水された水を冷却するものである。  【選択図】      図１
0003145806.tif 000002
【実用新案登録請求の範囲】
【請求項１】
排ガスの通路である排ガス通路部と、
前記排ガス通路部内に取り付けられた排ガスを浄化する排ガス浄化部と
を具備することを特徴とする排ガス浄化装置。
【請求項２】
前記排ガス通路部は、筒形状をしており、
前記排ガス浄化部は、少なくとも１つの排ガス浄化フィルターより構成されていることを特徴とする請求項１記載の排ガス浄化装置。
【請求項３】
前記排ガス通路部内を冷却する冷却部をさらに具備することを特徴とする請求項１記載の排ガス浄化装置。
【請求項４】
前記冷却部は、
前記排ガス通路部の周囲に巻かれた水の通路である水通路部と、
前記水通路部内に水を供給する水供給部と
を具備することを特徴とする請求項３記載の排ガス浄化装置。
【請求項５】
前記水通路部の出口から排水された水を冷却する排水冷却部をさらに備え、
前記水供給部は、前記排水冷却部において冷却された水を前記水通路部に供給することを特徴とする請求項４記載の排ガス浄化装置。
【請求項６】
前記排ガス通路部と連結された水が充填された排ガスの通路である水充填排ガス通路部をさらに具備することを特徴とする請求項１記載の排ガス浄化装置。
【考案の詳細な説明】
【技術分野】
【０００１】
本考案は、排ガスを浄化する排ガス浄化装置に関する。
【背景技術】
【０００２】
近年、環境問題が世界的に重要な問題として取り上げられている。そして、環境問題を解決する政策として、各国で排ガス規制が行われている。規制されている排ガスとして、自動車の排ガスや工場における燃焼処理の結果発生する排ガス等が挙げられる。このような中、排ガスを浄化させる様々な装置の開発が行われている。
【０００３】
そのような状況の中、以下に説明する排煙処理装置が提案されている。その排煙処理装置は、筒状の胴板と、胴板底部の排水溜りと、胴板頂部の蓋板、及びその蓋板を貫通する排煙出口管と、胴板側部の排煙入口と、上記蓋板の下部に設けた洗浄水分散板及びその下部に設けた雨状洗浄水発生装置と、上記蓋板に設けた洗浄水入口と上記排水溜りに設けた洗浄水出口間をポンプを介し連結する配管とからなり、上記雨状洗浄水発生装置は２枚以上の細かな金網を荒い金網を介し積層されたものとなっている（例えば、特許文献１参照。）。この排煙処理装置によれば、燃焼排ガス中の煤煙等をほぼ完全に除去するができる。
【特許文献１】実開平０６−４６１４９号公報（図１）
【考案の開示】
【考案が解決しようとする課題】
【０００４】
しかしながら、上述の排煙処理装置では、二酸化炭素等の成分を除去することができない。また、洗浄液を雨状にして排ガスに散布することになるため、装置として構造が複雑になる。排ガスを環境に問題ない状態で外部に排出することができれば、環境問題の解決に資する。
【０００５】
そこで、本考案は、排ガスを環境に問題ない状態で外部に排出する排ガス浄化装置を提供することを目的とする。
【課題を解決するための手段】
【０００６】
本考案は、上記課題を解決するためになされたものであり、本考案の排ガス浄化装置は、排ガスの通路である排ガス通路部と、上記排ガス通路部内に取り付けられた排ガスを浄化する排ガス浄化部とを具備することを特徴とするものである。これにより、排ガスを環境に問題ない状態で外部に排出させるという作用をもたらす。
【０００７】
また、本考案の排ガス浄化装置において、上記排ガス通路部は、筒形状をしており、上記排ガス浄化部は、少なくとも１つの排ガス浄化フィルターより構成されていることを特徴とする。これにより、排ガス浄化装置の構造を簡易化させるという作用をもたらす。
【０００８】
また、本考案の排ガス浄化装置において、上記排ガス通路部内を冷却する冷却部をさらに具備することを特徴とする。これにより、排ガス通路部内を冷却させるという作用をもたらす。
【０００９】
また、本考案の排ガス浄化装置において、上記冷却部は、上記排ガス通路部の周囲に巻かれた水の通路である水通路部と、上記水通路部内に水を供給する水供給部とを具備することを特徴とする。これにより、排ガス通路部の周囲を冷却させるという作用をもたらす。
【００１０】
また、本考案の排ガス浄化装置において、上記水通路部の出口から排水された水を冷却する排水冷却部をさらに備え、上記水供給部は、上記排水冷却部において冷却された水を上記水通路部に供給することを特徴とする。これにより、水通路部から排水された水を冷却した後に、再度その冷却した水を水通路部内に供給させるという作用をもたらす。
【００１１】
また、本考案の排ガス浄化装置において、上記排ガス通路部と連結された水が充填された排ガスの通路である水充填排ガス通路部をさらに具備することを特徴とする。これにより、排ガスに水中内を通過させるという作用をもたらす。
【考案の効果】
【００１２】
本考案によれば、排ガスを環境に問題ない状態で外部に排出することができるという優れた効果を奏し得る。
【考案を実施するための最良の形態】
【００１３】
次に本考案の実施の形態について図面を参照して詳細に説明する。
【００１４】
図１は、本考案の実施の形態における排ガス浄化装置１００を示す図である。本考案の実施の形態における排ガス浄化装置１００は排ガスを浄化するものであり、排ガス通路部１０と、排ガス浄化部２０と、冷却部３０と、水充填排ガス通路部４０とを備える。なお、本考案において排ガスを浄化するとは、排ガス中に含まれる二酸化炭素（ＣＯ２）、一酸化炭素（ＣＯ）、硫黄酸化物（ＳＯｘ）、窒素酸化物（ＮＯｘ）、炭化水素（ＨＣ）、水蒸気成分（Ｈ２Ｏ）等のいずれかまたは全てを除去することを言うものとする。
【００１５】
排ガス通路部１０は、排ガスの通路である。排ガス通路部１０の形状として、例えば円筒形状などの筒形状が想定されるがこれに限るものではなく、その他の形状であってもよい。
【００１６】
排ガス浄化部２０は、排ガス通路部１０内を通る排ガスを浄化するものである。排ガス浄化部２０として、例えば上記二酸化炭素（ＣＯ２）、一酸化炭素（ＣＯ）、硫黄酸化物（ＳＯｘ）、窒素酸化物（ＮＯｘ）、炭化水素（ＨＣ）、水蒸気成分（Ｈ２Ｏ）等のいずれかまたは全てを除去する排ガス浄化フィルター２１乃至２３が想定されるが、これに限るものではない。
【００１７】
具体的な排ガス浄化フィルター２１乃至２３の一例として、例えば活性炭を内蔵するフィルターが想定されるが、これに限るものではなく、上記二酸化炭素（ＣＯ２）、一酸化炭素（ＣＯ）、硫黄酸化物（ＳＯｘ）、窒素酸化物（ＮＯｘ）、炭化水素（ＨＣ）、水蒸気成分（Ｈ２Ｏ）等のいずれかまたは全てを除去することができる成分を含んだフィルターであればその他のフィルターであってもよい。なお、図１において排ガス浄化フィルターは３つあるが、排ガス浄化フィルターは少なくとも１つあればよい。
【００１８】
冷却部３０は、排ガス通路部１０内を冷却するものであり、例えば水通路部３１と、水供給部３２と、排水冷却部３３とを備える。水通路部３１は、排ガス通路部１０の周囲に巻かれた水の通路である。水通路部３１の具体例として、例えば排ガス通路部１０の周囲に螺旋状に巻きつけた管状部材が想定されるが、これに限るものではない。
【００１９】
水供給部３２は、水通路部３１に水を供給するものである。水通路部３１への水の供給は、水供給部３２が備えている水供給管３２ａを通じて行われる。水供給部３２として、例えば水を供給する機構を備えたポンプが想定されるが、これに限るものではない。
【００２０】
排水冷却部３３は、水通路部３１の出口３１ａから排水された水を冷却するものである。排水冷却部３３における冷却方式は、公知の冷却方式のいずれを採用してもよい。水通路部３１の出口３１ａから排水された水は、排水冷却部３３が備えている排水管３３ａを通じて排水冷却部３３内に送り込まれる。そして、その送り込まれてきた水は、排水冷却部３３において冷却される。その冷却された水は、排水管３３ｂを通じて水供給部３２に吸引された後に、水通路部３１に供給される。
【００２１】
冷却部３０により排ガス通路部１０内を冷却することによって排ガス中の水蒸気成分を冷却することができるため、排ガス中の水蒸気成分を除去することができる効果がある。また、上記排ガス浄化フィルターの温度の上昇による機能の低下を低減することができる効果もある。
【００２２】
水充填排ガス通路部４０は、水が充填された排ガスの通路である。水充填排ガス通路部４０の形状として、例えば円筒形状などの筒形状が想定されるがこれに限るものではなく、その他の形状であってもよい。水充填排ガス通路部４０は排ガス通路部１０と連結されており、排ガス通路部１０を通過した排ガスは水充填排ガス通路部４０に移動する。そして、排ガス通路部１０を通過した排ガス中の水蒸気成分は、水充填排ガス通路部４０における水により冷却されて除去される。
【００２３】
そして、水充填排ガス通路部４０内の水も水通路部３１における場合と同様に、水供給部３２および排水冷却部３３を用いて循環させ、水充填排ガス通路部４０内の水の温度を制御させるようにしてもよい。すなわち、水充填排ガス通路部４０内に水供給管４０ａを通じて冷却された水を水供給部３２により供給させ、水充填排ガス通路部４０の底面付近に設けられた排水管４０ｂから排水される水を排水冷却部３３において冷却させるようにしてもよい。排水冷却部３３において冷却された水は、水供給管４０ａを通じて水供給部３２により水充填排ガス通路部４０内に供給される。
【００２４】
なお、上記排ガス浄化装置１００は、排ガス通路部１０と、排ガス浄化部２０と、冷却部３０と、水充填排ガス通路部４０とを全て備えている必要は無く、少なくとも排ガス通路部１０と、排ガス浄化部２０とを備えていればよい。
【００２５】
次に、本考案の実施の形態における排ガス浄化装置１００の動作について図面２を参照して説明する。図２は、本考案の実施の形態における排ガス浄化装置１００において排ガスが処理される様子を示す図である。排ガス浄化装置１００を例えば排ガスの排出口である排ガス排出口２００に取り付ける。排ガス排出口２００から排出された排ガス２１０は、まず排ガス通路部１０内部に入る。
【００２６】
そして、排ガス通路部１０内部に入った排ガスは、排ガス浄化フィルター２１乃至２３で構成される排ガス浄化部２０を通過する際に浄化される。これにより、排ガス排出口２００から排出された排ガス２１０中の二酸化炭素（ＣＯ２）、一酸化炭素（ＣＯ）、硫黄酸化物（ＳＯｘ）、窒素酸化物（ＮＯｘ）、炭化水素（ＨＣ）、水蒸気成分（Ｈ２Ｏ）等のいずれかまたは全てが排ガス浄化フィルター２１乃至２３で構成される排ガス浄化部２０により除去されて排ガス２１０が排ガス２２０となり、その排ガス２２０が水充填排ガス通路部４０に向かうことになる。なお、排ガス通路部１０は冷却部３０により冷却されているため、排ガス２１０中の水蒸気成分は、その冷却が要因となって排ガス通路部１０においても除去される。
【００２７】
排ガス２２０が水充填排ガス通路部４０に入ると、水充填排ガス通路部４０内の水により排ガス２２０中の水蒸気成分等が除去される。そして、水充填排ガス通路部４０の出口付近ではほとんど水蒸気成分等が除去され、二酸化炭素（ＣＯ２）、一酸化炭素（ＣＯ）、硫黄酸化物（ＳＯｘ）、窒素酸化物（ＮＯｘ）、炭化水素（ＨＣ）、水蒸気成分（Ｈ２Ｏ）等をほとんど含まない排ガス２３０となって外部に排出される。
【００２８】
次に、冷却部３０の動作について説明する。排ガス通路部１０の周囲に螺旋状に巻きつけられた水通路部３１には、水供給管３２ａを通じて冷却された水が水供給部３２から絶えず供給される。これにより、排ガス通路部１０の周囲には絶えず冷却された水が流れることになる。これにより、排ガス通路部１０内の温度の上昇を低減することができる。
【００２９】
そして、水通路部３１の出口３１ａから排水された温度が上昇した水は、排水冷却部３３に供給される。排水冷却部３３に供給された温度が上昇した水は、排水冷却部３３において冷却される。そして、排水冷却部３３において冷却された水は、排水管３３ｂを通じて水供給部３２に吸引された後に、水通路部３１に供給され再度水通路部３１に供給されることになる。以上の動作が繰り返し行われる。
【００３０】
これにより、排ガス通路部１０は、絶えず冷却部３０により冷却されることになり、排ガス通路部１０の温度の上昇を抑えることができる。排ガス通路部１０の温度の上昇を抑えることができれば、温度の上昇に伴う排ガス浄化フィルター２１乃至２３の機能の低下を低減することができる。また、排ガス通路部１０が冷却部３０により冷却されると、排ガス通路部１０を通過する排ガスの水蒸気成分を除去することができる。
【００３１】
以上の冷却部３０における動作は、水充填排ガス通路部４０においても水供給管４０ａおよび排水管４０ｂを通じて同様に繰り返し行われる。水充填排ガス通路部４０に対する冷却部３０の動作は、上記説明において水通路部３１を水充填排ガス通路部４０に置き換え、水供給管３２ａ、排水管３３ａをそれぞれ水供給管４０ａ、排水管４０ｂに置き換えて説明できるため、その説明を省略する。
【００３２】
図３は、本考案の実施の形態における排ガス通路部１０および排ガス浄化部２０で構成された排ガス浄化装置１００の使用の一例を示す図である。排ガス浄化装置１００は、図２に示すように自動車３００のマフラー３１０に取り付けて使用することができる。また、工場の煙突に取り付けて使用することもできる。なお、図３における排ガス浄化装置１００は、最小限の構成をさせた排ガス浄化装置であり、これだけでも効果を十分に発揮することができる。
【００３３】
排ガス浄化装置１００を自動車３００のマフラー３１０や工場の煙突に取り付ければ、排ガス中に含まれる二酸化炭素（ＣＯ２）、一酸化炭素（ＣＯ）、硫黄酸化物（ＳＯｘ）、窒素酸化物（ＮＯｘ）、炭化水素（ＨＣ）、水蒸気成分（Ｈ２Ｏ）等を除去することができるため、環境問題に向上に資することができる。
【００３４】
以上説明したように、本考案の実施の形態における排ガス浄化装置１００によれば、排ガスを浄化することができる。これにより、排ガスを環境に問題ない状態で外部に排出することができる。
【００３５】
なお、本考案の実施の形態は本考案を具現化するための一例を示したものであり、これに限定されるものではなく本考案の要旨を逸脱しない範囲において種々の変形を施すことができる。
【産業上の利用可能性】
【００３６】
本考案が適用されるのは、例えば車のマフラーや工場の煙突等の排ガスを外部に排出する部分に取り付けて排ガスの浄化を行う場合に限らず、排ガスを発生する全てのものに取り付けて排ガスの浄化を行う全ての場合である。
【図面の簡単な説明】
【００３７】
【図１】本考案の実施の形態における排ガス浄化装置１００を示す図である。
【図２】本考案の実施の形態における排ガス浄化装置１００において排ガスが処理される様子を示す図である。
【図３】本考案の実施の形態における排ガス通路部１０および排ガス浄化部２０で構成された排ガス浄化装置１００の使用の一例を示す図である。
【符号の説明】
【００３８】
１０  排ガス通路部
２０  排ガス浄化部
２１、２２、２３  排ガス浄化フィルター
３０  冷却部
３１  水通路部
３１ａ  出口
３２  水供給部
３２ａ、４０ａ  水供給管
３３  排水冷却部
３３ａ、３３ｂ、４０ｂ  排水管
４０  水充填排ガス通路部
１００  排ガス浄化装置
２００  排ガス排出口
２１０、２２０、２３０  排ガス
３００  自動車
３１０  マフラー
【図１】
0003145806.tif 000003
【図２】
0003145806.tif 000004
【図３】
0003145806.tif 000005